(57)【要約】【課題】大形の切断材に対応させるため切断機本体を前後にスライド可能とした卓上切断機において、切断機本体をスライド支持するスライド機構のスライドバーを固定して軸受け側の移動させる構成とすることによって後方設置スペースのコンパクト化を図ることができるが、従来固定したスライドバーが作業の邪魔になる問題があった。本発明では、後方設置スペースのコンパクト化を図りつつ、刃先の視認性を高めて作業性を確保する。【解決手段】上下二段階のスライド機構２０，４０によって切断機本体１０を大きなスライド距離を確保する。また、上段側については、スライドバー４２を固定したパターン２のスライド機構４０を採用する。これにより、スライド機構４０の後方設置スペースのコンパクト化を図りつつ、刃先の視認性を確保する。【選択図】図１
2010173029.tif 000002
【特許請求の範囲】
【請求項１】
切断材を載置するテーブルと、該テーブルの上方において上下に移動操作可能に配置された切断機本体を備えた卓上切断機であって、
前記切断機本体は、複数段のスライド機構を介して前記テーブルの面方向に沿って前後にスライド操作可能に支持されており、
前記各スライド機構は、前後方向に長いスライド案内部材と、該スライド案内部材を相対的に前後方向にスライド自在に支持するスライド支持部材を備え、
前記切断機本体の前後スライド動作に伴って前記スライド案内部材が前後に移動し、前記スライド支持部材が固定されたパターン１のスライド機構と、前記切断機本体の前後スライド動作に伴って前記スライド支持部材が前後に移動し、前記スライド案内部材が固定されたパターン２のスライド機構を設定した場合に、
前記複数段のスライド機構のうち少なくとも１つのスライド機構が前記パターン２に設定された卓上切断機。
【請求項２】
請求項１記載の卓上切断機であって、前記複数段のスライド機構として上下二段のスライド機構を備え、上段側のスライド機構が前記パターン２に設定された卓上切断機。
【請求項３】
請求項２記載の卓上切断機であって、前記上段側のスライド機構のスライド案内部材の前端に対して、前記切断機本体の切断刃の回転中心が当該切断機本体の前後方向のスライド範囲について常時前側に位置する構成とした卓上切断機。
【請求項４】
請求項２又は３記載の卓上切断機であって、前記切断機本体を前側から見た時に該切断機本体の切断刃に対して左側に前記上段側のスライド機構が配置され、前記切断刃を回転させる駆動源としての電動モータ及び減速ギヤ列が右側に配置された卓上切断機。
【請求項５】
請求項４記載の卓上切断機であって、上段側のスライド機構は、スライド案内部材として２本のスライドバーを備え、該２本のスライドバーが上下に並列配置された卓上切断機。
【発明の詳細な説明】
【技術分野】
【０００１】
この発明は、テーブル上に固定した切断材に対して切断機本体を上下に移動操作可能かつテーブル面方向にスライド操作可能な卓上形の切断機に関する。
【背景技術】
【０００２】
下記の特許文献１には、電動モータを駆動源として回転する円形の切断刃を備えた切断機本体を、上下に移動操作可能かつテーブル面方向にスライド操作可能な卓上形の切断機に関する技術が開示されている。この卓上切断機によれば、切断機本体を下動操作して回転する切断刃を切断材に切り込み、この切り込み状態で切断機本体をさらにテーブル面方向にスライドさせることにより幅広の切断材を切断することができる。
また、特許文献２には、上下二段階のスライド機構を備えることにより、切断機本体をさらに大きな距離でテーブル面方向にスライドさせることができ、これよりさらに大形の切断材を切断加工できる卓上形の切断機が開示されている。
さらに、特許文献３には、テーブルの後部付近から上方へ起立する支持アーム部の上部に、スライド支持用のスライドバーを前方へ突き出す状態に固定して設け、このスライドバーに対して切断機本体をテーブル面方向にスライド操作可能に設けた卓上形の切断機が開示されている。この卓上切断機によれば、スライドバーが支持アーム部の上部から前方へ突き出す状態に固定されているため、切断機本体をスライド後退端位置にスライドさせた状態であってもスライドバーが支持アーム部から後ろ側へ突き出すことがないので、そのための後方スペースを必要としない。このため、当該卓上切断機を例えば壁際に接近させて設置若しくは保管しておくことができる等、その設置スペースがコンパクトになり、また持ち運び時等の取り扱い性がよくなるメリットがあった。
【先行技術文献】
【特許文献】
【０００３】
【特許文献１】特許第３５４９７３２号公報
【特許文献２】特開２００２−２００６０１号公報
【特許文献３】特開２００５−２７９９３３号公報
【発明の概要】
【発明が解決しようとする課題】
【０００４】
しかしながら、上記特許文献３に開示された卓上切断機によれば、スライドバーが支持アーム部の上部から前方へ突き出して切断材の上方に張り出す状態に常時固定された状態となっている。このため、切断作業時にスミ線合わせのため刃先を目視する場合にこのスライドバーが邪魔になり、その結果作業者は刃先をのぞき込む等のために窮屈な姿勢を強いられ、当該卓上切断機の作業性が損なわれる問題もあった。特に、大形の切断材に対応させるため、一組のスライド機構のみによって切断機本体の大きなスライド距離を確保すればその分だけスライドバーが長くなるため当該スライドバーの前方への突き出し距離が長くなり、その結果当該卓上切断機の作業性が一層損なわれる。
本発明は、上記従来の問題に鑑みなされたもので、後方の設置スペースのコンパクト化を図りつつ、切断作業の邪魔になることなく切断機本体の大きなスライド距離を確保することができるようにすることを目的とする。
【課題を解決するための手段】
【０００５】
このため、本発明は、特許請求の範囲の各請求項に記載した構成の卓上切断機とした。  請求項１記載の卓上切断機によれば、複数段のスライド機構のうち少なくとも１つのスライド機構がパターン２であって、スライド案内部材が切断機本体の前後スライド動作に対して固定されている。このため、切断機本体を後方（通常の場合、切断進行方向）にスライドさせても前後に長いスライド案内部材は後方へ移動しないことから後方へ突き出すことがなく、この点で当該後方の設置スペースを必要とせず、そのコンパクト化を図ることができる。
例えば、スライド案内部材として断面円形のスライドバーを用いることができ、スライド支持部材としてこれをスライド自在に支持する軸受け（スライドベアリング）を用いることができる。
しかも、切断機本体は上記パターン２のスライド機構を含む複数段のスライド機構により前後にスライド可能に支持されているため、大きな前後スライド距離を確保しつつ当該パターン２のスライド機構についてはスライド案内部材を短くすることができ、これにより切断部位の視認性を確保できる等当該スライド案内部材が切断作業の邪魔にならないようにすることができる。
請求項２記載の卓上切断機によれば、切断機本体を後方へスライドさせた時のスライド案内部材の後方への突き出し量を少なくすることができる。
請求項３記載の卓上切断機によれば、上段側のスライド機構が切断刃の回転中心よりも前側（使用者側）へ突き出すことがないので、刃先のスミ線合わせ等の作業について当該スライド機構のスライド案内部材等が邪魔になりにくく、この点で当該卓上切断機の作業性を一層高めることができる。
請求項４記載の卓上切断機によれば、パターン２のスライド機構のスライド案内部材が切断機本体の左側に配置され、切断機本体の電動モータ及び減速ギヤ列がその右側に配置されていることから、当該スライド案内部材及び電動モータ、減速ギヤ列のすべてが左右一方に配置された構成に比して、当該切断機本体の左右傾斜角度を左右均等に確保しやすくなる。これにより、切断機本体を左方または右方に傾斜させて行う傾斜切りを左右同等の傾斜角度で行うことができ、この点で当該卓上切断機の作業性を高めることができる。
請求項５記載の卓上切断機によれば、２本のスライドバーが左右に並列配置された構成に比して、当該スライド案内部材の左方へ張り出し量を小さくすることができ、これにより切断機本体の左側への大きな傾斜角度を確保することができる。
【図面の簡単な説明】
【０００６】
【図１】本発明の実施形態に係る卓上切断機の全体斜視図である。本図は、卓上切断機を左斜め後方から見た状態を示している。本図は、切断機本体が上方の待機位置に位置する状態を示している。本図は、切断機本体のスライド位置について、下段側のスライド機構については後退端位置で、上段側のスライド機構について中途位置に位置する状態を示している。
【図２】本発明の実施形態に係る卓上切断機の全体側面図である。本図は、卓上切断機を左側から見た状態を示している。本図は、切断機本体が上方の待機位置に位置する状態を示している。本図は、切断機本体のスライド位置について、上下二段のスライド機構についてはそれぞれ前進端位置に位置する状態を示している。
【図３】本発明の実施形態に係る卓上切断機の全体側面図である。本図は、卓上切断機を左側から見た状態を示している。本図は、切断機本体が下方の加工位置に位置する点で図２と異なっており、上下二段のスライド機構については図２と同じくそれぞれ前進端位置に位置する状態を示している。
【図４】図３に示す状態の卓上切断機を図３中矢印(IV)方向から見た正面図である。
【図５】本実施形態の卓上切断機を左側から見た側面図である。本図では、切断機本体が下方の加工位置に位置し、かつ上下二段のスライド機構についてはそれぞれ後退端位置に位置する状態を示している。
【図６】図５に示す状態の卓上切断機を図中矢印(VI)方向から見た平面図である。
【図７】図５及び図６に示す状態の卓上切断機を図６中矢印(VII)方向から見た右側面図である。
【図８】本発明の実施形態に係る卓上切断機の左側面図である。本図に示す状態は、切断機本体が上方の待機位置に位置する点で図５に示す状態とは異なっており、上下二段のスライド機構については図５と同じくそれぞれ後退端位置に位置する状態を示している。
【発明を実施するための形態】
【０００７】
次に、本発明の実施形態を図１〜図８に基づいて説明する。図１は、本実施形態に係る卓上切断機１の全体を示している。図１に示すようにこの卓上切断機１は、切断材Ｗを載置する円形のテーブル２と、このテーブル２を回転自在に支持するベース３と、テーブル２の上方において上下に傾動操作可能な切断機本体１０を備えている。
テーブル２の左右両側方には、固定テーブル部３ａ，３ａが配置されている。この両固定テーブル部３ａ，３ａは、ベース３の左右両側部に一体に設けられている。この両固定テーブル部３ａ，３ａの間において、テーブル２がベース３の上面に支持されている。両固定テーブル部３ａ，３ａ間には、切断材位置決め用の位置決めフェンス４が跨った状態に取り付けられている。この位置決めフェンス４は、テーブル２の上面（切断材載置面）との間に僅かな隙間をおいて両固定テーブル部３ａ，３ａ間に取り付けられている。図２に示すようにこの位置決めフェンス４の前面（位置決め面４ａ）に切断材Ｗが当接されて、そのテーブル面方向の位置決めがなされる。位置決めフェンス４の位置決め面４ａは、テーブル２の回転中心に一致している。
テーブル２の前部には、大形の切断材Ｗに対応させるためのテーブル延長部２ａが設けられている。このテーブル延長部２ａは、前方へ長く延びている。テーブル２の回転中心付近からこのテーブル延長部２ａの上面には、刃口板５が取り付けられている。この刃口板５には、切断刃を進入させるための細長い刃口５ａが設けられている。テーブル延長部２ａの前端には、脚部６が取り付けられている。
【０００８】
テーブル２の後部に、上下二段のスライド機構２０，４０を介して切断機本体１０が支持されている。この上下二段のスライド機構２０，４０の間には、傾動支持部３０が介装されている。
下段側のスライド機構２０は、テーブル２の下面に取り付けた左右一対の軸受け２１，２１と左右一対のスライドバー２２，２２を備えている。この二本のスライドバー２２，２２はそれぞれ軸受け２１を介して前後方向にスライド自在に支持されている。両スライドバー２２，２２はテーブル２の後部から後方へ突き出される。この両スライドバー２２，２２は相互に平行に配置されている。両スライドバー２２，２２は、左右に一定の間隔をおいて横並びに配置されている。
左右の軸受け２１，２１がスライド支持部材に相当し、左右のスライドバー２２，２２がスライド案内部材に相当する。スライド支持部材に相当する左右の軸受け２１，２１がテーブル２に固定され、スライド案内部材に相当する左右のスライドバー２２，２２が前後にスライドする。従って、下段側のスライド機構２０は、切断機本体１０の前後スライド操作に伴って前後に長いスライド案内部材（スライドバー２２，２２）が前後に移動し、スライド支持部材（軸受け２１，２１）が移動しないパターン１のスライド機構に相当する。
両スライドバー２２，２２のテーブル２に対するスライド位置は、固定ねじ２３の締め込みにより固定される。
【０００９】
この両スライドバー２２，２２の後端部に、傾動支持部３０が支持されている。この傾動支持部３０は、側面視でテーブル２の上面に一致し、かつ平面視でテーブル２の回転中心を通る回転軸線を中心にして回転可能な傾動支持部３１と傾動部３２を備えている。左右のスライドバー２２，２２の後端部に傾動支持部３１が取り付けられている。傾動部３２には傾動アーム部３３が一体に設けられている。この傾動アーム部３３は、上方に延びている。傾動支持部３１に対して傾動部３２を回転させればこの傾動アーム部３３が左右に傾動する。傾動アーム部３３の傾動位置は、固定レバー３５の締め込みにより固定される。
傾動アーム部３３の上部に、上段側のスライド機構４０が支持されている。この上段側のスライド機構４０は、２つの軸受け４１，４１と２本のスライドバー４２，４２を備えている。２本のスライドバー４２，４２の後端部が、傾動アーム部３３の上部に設けたバー固定部３４に固定されている。２本のスライドバー４２，４２はこのバー固定部３４から前方へ延びている。両スライドバー４２，４２は相互に平行に延びている。両スライドバー４２，４２の前端部はバー結合部４３を介して相互に固定されている。両スライドバー４２，４２は上下に一定の間隔をおいて縦並びに配置されている。
両スライドバー４２，４２にスライダ４４が支持されている。このスライダ４４に２つの軸受け４１，４１が組み込まれている。両軸受け４１，４１はそれぞれスライドバー４２にスライド自在に支持されている。この上段側のスライド機構４０では、上下２本のスライドバー４２，４２が前後に長いスライド案内部材に相当し、２つの軸受け４１，４１がスライド支持部材に相当する。従って、上段側のスライド機構４０は、切断機本体１０の前後スライド操作に伴って、前後に長いスライド案内部材（スライドバー４２，４２）が移動せず、スライド支持部材（軸受け４１，４１）が前後に移動するパターン２のスライド機構に相当する。
両スライドバー４２，４２に対するスライダ４４のスライド位置は、固定ねじ４５の締め込みにより固定される。
【００１０】
上段側のスライド機構４０のスライダ４４に切断機本体１０が支持されている。スライダ４４の側部には本体ベース４６が取り付けられている。この本体ベース４６に対して切断機本体１０の本体フレーム１１が支軸１２を介して上下に傾動可能に支持されている。本体フレーム１１の前部にはブレードケース１１ａが設けられている。
本体フレーム１１の側部には減速ギヤ列１９を介して駆動モータ１３が取り付けられている。この駆動モータ１３によって円形の切断刃１４が回転する。切断刃１４の上側半周の範囲はブレードケース１１ａで覆われている。切断刃１４の下側半周の範囲は開閉可能な可動カバー１５で覆われている。可動カバー１５は、切断機本体１０の上下傾動動作に連動して開閉される。図２に示すように切断機本体１０を上方の待機位置に位置させた状態では、切断刃１４のほぼ全体がブレードケース１１ａと可動カバー１５で覆われた状態となる。図３に示すように切断機本体１０を下方へ傾動操作すると、これに連動して可動カバー１５が開かれて切断刃１４の下部が露出される。切断刃１４の露出された部分が切断材Ｗに切り込まれて切断加工がなされる。切断機本体１０を上方の待機位置へ戻すと、これに連動して可動カバー１５が閉じられる。
本体フレーム１１の上部には、ループ形のハンドル部１６が設けられている。このハンドル部１６の内周側にトリガ形式のスイッチレバー１７が設けられている。このスイッチレバー１７を使用者が指先で引き操作すると、駆動モータ１３が起動して切断刃１４が回転する。図中符号１４ａが、駆動モータ１３により回転するスピンドルに対する切断刃１４の取り付け部位であってその回転中心を示している。
前記両スライドバー４２，４２の前方への突き出し量（両スライドバー４２，４２の長さ）は適切に抑制されていることにより、当該両スライドバー４２，４２の前端部を相互に結合するバー結合部４３の位置が必要以上に前側（使用者側）に位置しないように設定されている。これにより、図５に示すように切断機本体１０の全スライド範囲について、当該バー結合部４３は常時切断刃１４の回転中心１４ａよりも後ろ側に位置して当該上段側のスライド機構４０が前側へ突き出すことがないようになっている。図５では、切断機本体１０が最も後ろ側へスライドされた状態が示されており、この状態であっても切断刃１４の回転中心１４ａに対して上段側スライド機構４０のバー結合部４３は少なくとも距離Ｌだけ後ろ側に位置している。
このように、使用者が例えば刃先（切断部位）を覗き込む場合に当該スライド機構４０が邪魔にならないようになっており、この点で刃先の視認性ひいては当該卓上切断機１の作業性が確保されている。
また、このハンドル部１６には照明装置１８が装備されている。この照明具１８によって切断部位及びその周辺が明るく照らされて暗所での切断作業の便宜が図られるようになっている。
テーブル２を図６中白抜きの矢印で示すように左側又は右側に一定角度だけ水平に回転させることにより、切断材Ｗに対していわゆる斜め切り加工を行うことができる。テーブル延長部２ａの下側には、テーブル２の回転位置を一定角度ごとに位置決めするためのポジティブロック機構あるいは任意の角度位置に位置決めするためのストッパ機構等の２系統のテーブル位置決め機構７が組み込まれている。テーブル延長部２ａの前部には、このテーブル位置決め機構７を解除するためのレバー７ａ，７ｂが配置されている。
また、傾斜支持部３０により図４中白抜きの矢印で示すように切断機本体１０をテーブル２に対して左側又は右側へ一定角度だけ傾斜させることによりいわゆる傾斜切り加工を行うことができる。切断機本体１０を右側へ傾斜させる場合には、図示するように駆動モータ１３が斜め下向きの姿勢で本体フレーム１１に取り付けられているため当該駆動モータ１３をテーブル２等に干渉させることなく大きな角度で傾斜させることができ、これにより左右それぞれ大きな角度で斜め切り加工を行うことができるようになっている。また、切断機本体１０に対する右側へのオーバーハング荷重を小さくすることができるので、当該切断機本体１０の取り扱いが容易になる。
【００１１】
以上のように構成した卓上切断機１によれば、切断材Ｗを載置するテーブル２に対して切断機本体１０が上下二段のスライド機構２０，４０を介して支持されている。この上下二段のスライド機構２０，４０を介して切断機本体１０を前後方向に沿って大きな距離を移動させることができるので、大形の切断材Ｗの切断加工に容易に対応することができる。
また、下段側のスライド機構２０は、前後に長い２本のスライドバー２２，２２とこれを前後にスライド自在に支持する軸受け２１，２１を備えている。この２本のスライドバー２２，２２が後方へ突き出す方向にスライドされることによって切断機本体１０が後方へスライドされる。この下段側のスライド機構２０は、前後に長いスライド案内部材としてのスライドバー２２，２２が前後に移動し、これを相対的にスライド自在に支持するスライド支持部材としての軸受け２１，２１がテーブル２に固定されていることからパターン１のスライド機構に相当する。
上段側のスライド機構４０は、前後に長い２本のスライドバー４２，４２とこれを相対的に前後にスライド自在に支持する軸受け４１，４１を備えている。２本のスライドバー４２，４２は、その後端部が傾動アーム部３３の上部に設けたバー固定部３４に取り付けられて前方へ長く延びる状態に設けられている。この２本のスライドバー４２，４２に沿ってスライダ４４が前後にスライドされることによって切断機本体１０が前後にスライドされる。この上段側のスライド機構４０は、前後に長いスライド案内部材としてのスライドバー４２，４２が傾動アーム部３３のバー固定部３４に対してスライド不能に固定されており、この両スライドバー４２，４２に対して軸受け４１，４１が前後にスライド自在に支持されていることからパターン２のスライド機構に相当する。
このように、上段側のスライド機構４０では、スライドバー４２，４２が傾動アーム部３３のバー固定部３４から前方へ突き出す方向に固定されているため、切断機本体１０の後方へのスライド動作に伴って後方へ突き出すことがない。このことから、図５、図７及び図８に示すように当該卓上切断機１の設置スペースについて後方側のスペースＳのコンパクト化を図ることができる。
【００１２】
さらに、上下二段のスライド機構２０，４０によって切断機本体１０の大きなスライド距離を確保する構成であるので、１段階のスライド機構で同等のスライド距離を確保する構成に比して、パターン２のスライド機構におけるスライドバー（スライド案内部材）の前後長さを小さくすることができるので、使用者が例えばスミ線合わせ作業を行う場合に邪魔になることを少なくして刃先の視認性を高めることができ、この点で当該卓上切断機１の作業性を高めることができる。特に、例示した実施形態によれば、切断機本体１０の全スライド範囲について、上段側のスライド機構４０の前端部（バー結合部４３）が切断刃１４の回転中心１４ａよりも前側へ突き出す状態となることがなく、少なくとも距離Ｌだけ後ろ側に位置するよう当該上段側のスライド機構４０の長さ（バー結合部４３の位置）が設定されているため、使用者が切断部位を覗き込む場合等の視認性（作業性）がより一層確実に確保されている。
また、図４に示すように使用者側から見て切断刃１４に対して左側に上段側のスライド機構４０が配置され、右側に駆動モータ１３及び減速ギヤ列１９が配置されている。上記したように上段側のスライド機構４０については両スライドバー４２，４２の長さを短くして使用者側への突き出し寸法を小さくすることができる。ここで、通常、右利きの使用者は右手でハンドル部１６を把持して、切断刃１４の左側から刃先を覗き込んでスミ線合わせ等の作業を行う。この観点から、切断刃１４の左側にパターン２のスライド機構４０を配置し、右側に駆動モータ１３及び減速ギヤ列１９を配置することによって、当該卓上切断機１を主として右利きの使用者が使用する場合の作業性を確実に高めることができる。
さらに、上段側のスライド機構４０について、２本のスライドバー４２，４２を縦並びに配置した構成とすることによって当該スライド機構４０の左方への張り出し寸法を小さくすることができ、これにより切断機本体１０の左側への傾斜角度を大きく設定することができる。
【００１３】
以上説明した実施形態には種々変更を加えることができる。例えば、下段側にパターン１のスライド機構２０を配置し、上段側にパターン２のスライド機構４０を配置した構成を例示したが、逆に下段側にパターン２のスライド機構を配置し、上段側にパターン１のスライド機構を配置した構成、あるいは上下段ともにパターン２のスライド機構を配置した構成としてもよい。上下二段のスライド機構のうち少なくとも１段のスライド機構について、スライド案内部材（スライドバー）を切断機本体１０の前後スライド動作に伴って移動させないパターン２のスライド機構を採用することにより、後方の設置スペースのコンパクト化を図ることができる。
また、上段側のパターン２のスライド機構４０について、２本のスライドバー４２，４２を縦並びに配列した構成を例示したが、下段側と同様横並びに配置する構成としてもよい。各スライド機構における２本のスライドバーの配列方向については、縦並び若しくは横並びのいずれかを任意に設定することができる。また、各スライド機構におけるスライドバーの本数についても、２本に限らず１本でもよいし、３本以上としてもよい。
さらに、上下二段のスライド機構２０，４０を例示したが、上下に３段階のスライド機構を介して切断機本体をテーブルに対して支持する構成、あるいは横方向に複数段のスライド機構を介して切断機本体をテーブルに対して支持する構成としてもよい。これらの場合であっても、少なくとも１組のスライド機構についてパターン２のスライド機構を採用することにより同様の作用効果を得ることができる。
【符号の説明】
【００１４】
Ｗ…切断材
Ｓ…後方スペース
１…卓上切断機
２…テーブル、２ａ…テーブル延長部
３…ベース、３ａ…固定テーブル部
４…位置決めフェンス、４ａ…位置決め面
５…刃口板、５ａ…刃口
６…脚部
７…テーブル位置決め機構、７ａ，７ｂ…解除レバー
１０…切断機本体
１１…本体フレーム、１１ａ…ブレードケース
１２…支軸
１３…駆動モータ
１４…切断刃、１４ａ…切断刃１４の回転中心（スピンドル）
１５…可動カバー
１６…ハンドル部
１７…スイッチレバー
１８…照明装置
１９…減速ギヤ列
２０…下段側のスライド機構（パターン１）
２１…軸受け
２２…スライドバー
３０…傾斜支持部
３１…傾動支持部
３２…傾動部
３３…傾動アーム部
３４…バー固定部
３５…固定レバー
４０…上段側のスライド機構（パターン２）
４１…軸受け
４２…スライドバー
４３…バー結合部
４４…スライダ
４５…固定ねじ
４６…本体ベース
【図１】
2010173029.tif 000003
【図２】
2010173029.tif 000004
【図３】
2010173029.tif 000005
【図４】
2010173029.tif 000006
【図５】
2010173029.tif 000007
【図６】
2010173029.tif 000008
【図７】
2010173029.tif 000009
【図８】
2010173029.tif 000010